(57)【要約】【課題】新聞または雑誌等の定期刊行物に広告を掲載する広告主、前記刊行物を発行する新聞社または出版社等の発行者、前記刊行物の購読者、および前記広告に係る商品を取り扱うコンビニエンスストアまたはスーパーマーケット等の流通業者のそれぞれにとって同時に利益をもたらす福引抽選システムを提供する。【解決手段】新聞または雑誌等の定期刊行物に広告主が広告を掲載し、新聞社または出版社等の前記刊行物の発行者は自らの催しに係る福引抽選の抽選券を前記刊行物に掲載し、前記抽選券はバーコードを含み、当選景品は前記広告主の業務に係るものであり、抽選はＰＯＳシステムを備えるコンビニエンスストアまたはスーパーマーケット等の提携流通業者の店舗で行なわれ、抽選の当落は前記ＰＯＳシステムにより決定される。【選択図】　図３
2004021684.tif 000002
【特許請求の範囲】
【請求項１】
新聞または雑誌等の定期刊行物に広告主が広告を掲載し、新聞社または出版社等の前記刊行物の発行者は自らの催しに係る福引抽選の抽選券を前記刊行物に掲載し、前記抽選券はバーコードを含み、当選景品は前記広告主の業務に係るものであり、抽選はＰＯＳシステムを備えるコンビニエンスストアまたはスーパーマーケット等の提携流通業者の店舗で行なわれ、抽選の当落は前記ＰＯＳシステムにより決定されることを特徴とする福引抽選システム。
【請求項２】
請求項１の福引抽選システムにおいて、
当選景品が、広告主が掲載する広告に係るものであることを特徴とする福引抽選システム。
【請求項３】
請求項１または２の福引抽選システムにおいて、
広告主が掲載する広告と、発行者が自ら掲載する抽選券とが刊行物の同一紙面に掲載されることを特徴とする福引抽選システム。
【請求項４】
請求項１または２の福引抽選システムにおいて、
広告主が掲載する広告と、発行者が自ら掲載する抽選券とが刊行物の一紙面を占有して掲載されることを特徴とする福引抽選システム。
【請求項５】
新聞、雑誌またはチラシ等の印刷物に福引抽選の抽選券を掲載し、前記抽選券は同一表示内容のバーコードを含み、抽選はコンビニエンスストアまたはスーパーマーケット等の流通業者が備えるＰＯＳシステムでバーコードリーダーを前記バーコードにあてがうことにより行なわれ、抽選の当落は前記バーコードの表示内容ではなく前記ＰＯＳシステムに予め組み込まれる当落決定のためのソフトウェアプログラムにより決定されることを特徴とする福引抽選システム。
【発明の詳細な説明】
【０００１】
【発明の属する技術分野】
本発明は、バーコードとこれを読み取る機能を備えたＰＯＳシステムとを利用して行なわれる福引抽選システムに関するものである。
【０００２】
【従来の技術】
従来から様々な形態の福引抽選システムが実施されているが、新聞または雑誌等の定期刊行物に広告を掲載する広告主、前記刊行物を発行する新聞社または出版社等の発行者、前記刊行物の購読者、および前記広告に係る商品を取り扱うコンビニエンスストアまたはスーパーマーケット等の流通業者のそれぞれにとって同時に利益をもたらす福引抽選システムは未だ開発されていない。
【０００３】
【発明が解決しようとする課題】
本発明は以上の点に鑑みて、上記広告主、発行者、購読者および流通業者のそれぞれに利益をもたらすことのできる福引抽選システムを提供することを目的とし、また、福引実施の主体等を特定することなくバーコードとこれを読み取るＰＯＳシステムとを有効に利用した新趣向の福引抽選システムを提供することを目的とする。
【０００４】
【課題を解決するための手段】
上記目的を達成するため、本発明の請求項１による福引抽選システムは、新聞または雑誌等の定期刊行物に広告主が広告を掲載し、新聞社または出版社等の前記刊行物の発行者は自らの催しに係る福引抽選の抽選券を前記刊行物に掲載し、前記抽選券はバーコードを含み、当選景品は前記広告主の業務に係るものであり、抽選はＰＯＳシステムを備えるコンビニエンスストアまたはスーパーマーケット等の提携流通業者の店舗で行なわれ、抽選の当落は前記ＰＯＳシステムにより決定されることを特徴とするものである。
【０００５】
また、本発明の請求項２による福引抽選システムは、上記した請求項１の福引抽選システムにおいて、当選景品が、広告主が掲載する広告に係るものであることを特徴とするものである。
【０００６】
また、本発明の請求項３による福引抽選システムは、上記した請求項１または２の福引抽選システムにおいて、広告主が掲載する広告と、発行者が自ら掲載する抽選券とが刊行物の同一紙面に掲載されることを特徴とするものである。
【０００７】
また、本発明の請求項４による福引抽選システムは、上記した請求項１または２の福引抽選システムにおいて、広告主が掲載する広告と、発行者が自ら掲載する抽選券とが刊行物の一紙面を占有して掲載されることを特徴とするものである。
【０００８】
更にまた、本発明の請求項５による福引抽選システムは、新聞、雑誌またはチラシ等の印刷物に福引抽選の抽選券を掲載し、前記抽選券は同一表示内容のバーコードを含み、抽選はコンビニエンスストアまたはスーパーマーケット等の流通業者が備えるＰＯＳシステムでバーコードリーダーを前記バーコードにあてがうことにより行なわれ、抽選の当落は前記バーコードの表示内容ではなく前記ＰＯＳシステムに予め組み込まれる当落決定のためのソフトウェアプログラムにより決定されることを特徴とするものである。
【０００９】
上記構成を備えた本発明の請求項１による福引抽選システムによると、以下の利益がもたらされる。
【００１０】
すなわち先ず、当該福引抽選への参加条件が新聞または雑誌等の定期刊行物に掲載される抽選券の所持であるため、この抽選券を所持することによって商品取引（刊行物の購買）の発生が証明される。当該福引抽選の実施主体は広告主ではなく刊行物の発行者であり、それにもかかわらず当選景品は広告主の業務に係るものである。したがって、景品表示法に定められるところの取引付随の福引（商品購入を条件とする景品の提供）の実施が可能となり、これにより新聞または雑誌等の定期刊行物に掲載される広告が実質福引付きとなり、広告の商業的価値が増大する。広告価値の増大は、広告を出す広告主および広告スペースを提供する発行者の双方にとって大きな利益である。
【００１１】
当該福引抽選の当選景品は、広告主の業務に係るもの（商品または役務、後者の役務の場合は例えば入場券や利用券等のチケットの形で景品として頒布することが考えられる）であれば、上記広告に係るものでも、上記広告に係るもの以外のものでも良いが、請求項２に記載したように広告に係るものであれば、広告と当該福引抽選との結び付きが一層強いものとなる。
【００１２】
また、提携流通業者のＰＯＳシステムに抽選の当落を一定の確率でランダムに決定するプログラムソフトを予めインストールすることで抽選の当落を分けるため、抽選券に印刷するバーコードはこれを当落を分けるために印刷上差し替える必要がない。したがって、印刷作業および印刷コストの負担増を回避し、抽選実施の簡便化を図ることが可能となる。
【００１３】
また、抽選場所となる提携流通業者にとっては、ＰＯＳシステムに抽選の当落を決定するプログラムをインストールするだけで、多数の刊行物購読者の来店を期待することができる。したがって、来店客の増加に伴う売上高の増加を期待することができる。
【００１４】
また、コンビニエンスストア等においては、通常のレジ運用において、顧客の年齢性別等の情報をインプットすることが習慣化されており、これを当該システムに利用すれば、当該福引抽選に参加する参加者の属性を把握することが可能となる。このデータは、広告主や発行者のマーケティングデータとして活用することが可能である。
【００１５】
また、刊行物を購読する購読者にとっては、刊行物を購入すれば福引抽選に参加することができ、当選すれば景品をもらうことができる。
【００１６】
またこれに加えて、上記請求項３に記載したように、広告主が掲載する広告と発行者が自ら掲載する抽選券とが刊行物の同一紙面に掲載されると、広告と抽選券の掲載主体が異なるにもかかわらず、広告が実質福引付き広告の観を強く呈するので、購読者へのアピール度を高めることが可能となる。
【００１７】
また、上記請求項４に記載したように、広告主が掲載する広告と発行者が自ら掲載する抽選券とが刊行物の一紙面を占有して掲載されると、広告と抽選券の掲載主体が異なるにもかかわらず、広告が実質福引付き全面広告の観を強く呈するので、購読者へのアピール度を一層高めることが可能となる。
【００１８】
更にまた、上記構成を備えた本発明の請求項５による福引抽選システムにおいては、福引抽選の実施主体等は特定されていないが、新聞、雑誌またはチラシ等の印刷物に掲載されたバーコードをコンビニエンスストアまたはスーパーマーケット等へ持参することにより抽選で景品がもらえるとなれば、やはり印刷物の人気が高まり、流通業者にとっては来店客の増加および売上高の増加を期待することができる。
【００１９】
【発明の実施の形態】
つぎに本発明の実施例を説明する。
【００２０】
図１のシステムブロック図および図２の運用フローチャートに示すように、広告主１が自らの業務に係る商品等の販売促進等のために広告代理店２に定期刊行物、例えば日刊新聞への広告の掲載を依頼すると（Ｓ１０１）、広告代理店２は広告原稿を制作し（Ｓ１０２）、これを発行者である新聞社３へ送付する（Ｓ１０３）。
【００２１】
新聞社３は、広告主１、広告代理店２および流通業者４らとの提携のもと、自らの催しとして福引抽選を企画実施し、図３に示すように、新聞紙面１１上に上記商品に係る広告１２を掲載するとともに同一紙面１１上に当該福引抽選に係る欄１３を自ら掲載し、新聞を発行する（Ｓ１０４）。図３の紙面１１は、上記広告１２および福引掲載欄１３によって一紙面が占有（独占）されており、福引抽選の当選景品が広告主１の業務に係るものであるので、この紙面１１は実質福引付き全面広告の観を呈している（例えば、新聞紙面の１５段中１４段が広告１２とされ、残る１段が福引掲載欄１３とされる）。
【００２２】
上記当選景品は、広告主１の業務に係るものであれば、上記広告１２に係るものであっても、上記広告１２に係るもの以外のものであっても良いが、前者の広告１２に係るものであれば、広告１２と当該福引抽選との結び付きが一層強くなる。
【００２３】
上記福引掲載欄１３には、当該福引抽選の実施要領等の説明書き１４と、抽選券１５とが記載されており、購読者５に対し、抽選券１５を提携流通業者４の指定店舗へ持参して、その場で行なわれる福引抽選に当選すると、その場で景品がもらえる旨が記載されている。
【００２４】
抽選券１５には一見抽選番号と思しきバーコード１６が記載されているが、このバーコード１６は当該抽選への参加資格を示すのみであって抽選の当落を決定するものではなく、当落の決定は、流通業者４が備えるＰＯＳシステムにより決定され、具体的には、ＰＯＳシステムに予め組み込まれる当落決定のためのソフトウェアプログラムにより決定され、このソフトウェアプログラムは任意に設定される当選確率にしたがってランダムに当落を決定するものである。したがってバーコード１６の表示内容は変える必要がないので、全発行部数に亙って同じ内容とされている。抽選券１５にはバーコード１６が記載されていれば十分であって、抽選券１５はバーコード１６のみが記載されたものであっても良く、この場合には、抽選券１５イコールバーコード１６印刷部分である。
【００２５】
購読者５は、紙面１１から抽選券１５を切り取って（Ｓ１０５）、指定店舗に来店し（Ｓ１０６）、その場で抽選に参加する（Ｓ１０７）。すなわち購読者が店員に抽選券１５を渡すと、店員はバーコード１６にＰＯＳシステムのバーコードリーダーをあてがってＰＯＳシステムを機能させ、その読取りデータからシステムがその場で参加資格を確認するとともに抽選の当落を決定し（Ｓ１０８）、購読者５は、当選すると、その場で景品を無償で受け取ることができる（Ｓ１０９）。
【００２６】
流通業者４は、景品代を集約し、広告代理店２を介してまたは直接に発行者３宛に代金を請求するとともに（Ｓ１１０）、収集した参加者の属性データを広告代理店２を介してまたは直接に発行者３または広告主１宛に提出する（Ｓ１１１）。
【００２７】
【発明の効果】
本発明は、以下の効果を奏する。
【００２８】
すなわち、上記構成を備えた本発明の請求項１または２による福引抽選システムにおいては、新聞または雑誌等の刊行物に広告主が広告を掲載し、新聞社または出版社等の刊行物の発行者は自らの催しに係る福引抽選の抽選券を刊行物に掲載し、抽選券はバーコードを含み、当選景品は広告主の業務に係るものまたは広告に係るものであり、抽選はＰＯＳシステムを備えるコンビニエンスストアまたはスーパーマーケット等の提携流通業者の店舗で行なわれ、抽選の当落はＰＯＳシステムにより決定されるものであるために、広告主および発行者にとっては、広告が実質福引付きとなることによって広告価値が増大するメリットがある。広告主にとっては、広告に係る商品が景品として利用されるために販売促進のメリットがあり、発行者にとっても福引目当ての刊行物の販売促進を期待することができる。流通業者にとっては、来店客数が増大し、これに伴って売上が増大するメリットがある。購読者にとっては、福引抽選に参加することができ、当選すれば景品をもらえるメリットがある。したがって、広告主、発行者、購読者および流通業者のそれぞれにとって利益のある、バーコードとこれを読み取るＰＯＳシステムとを有効に利用した新趣向の福引抽選システムを提供することができる。
【００２９】
尚、商品パッケージ等に印刷されたバーコードを使った取引付随の福引抽選システムは従来から存在するが、これら従来のシステムは、１商品につき１つしか付いていない購買証明としてバーコードを使用しており、殆どのシステムが、私製または官製はがきにバーコードを貼付して郵送応募し、はがきから抽選する仕組みである。これに対して本発明のシステムは、バーコードが新聞または雑誌等の刊行物の購買証明であると同時に、はがき等のツールは不要であり、抽選そのものの仕組みにバーコードを利用している点で従来システムとは異なるものであると云うことができる。
【００３０】
また更に、本発明のシステムは、大量印刷物における抽選の仕組みを簡便化したものであると云うこともできる。すなわち、ＰＯＳシステムを備える流通業者の協力を得て、ＰＯＳ内にランダムに当落を決定するプログラムをインストールしておくことで、印刷の差し替えをせずに、共通のバーコードでも抽選を可能としている。また、参加者データをマーケティングデータとして活用し得ることも上記したとおりである。
【００３１】
またこれに加えて、上記構成を備えた本発明の請求項３による福引抽選システムにおいては、広告主が掲載する広告と発行者が自ら掲載する抽選券とが刊行物の同一紙面に掲載されるために、広告と抽選券の掲載主体が異なるにもかかわらず、広告が実質福引付き広告の観を強く呈するので、購読者への広告のアピール度を高めることができる。
【００３２】
また、上記構成を備えた本発明の請求項４による福引抽選システムにおいては広告主が掲載する広告と発行者が自ら掲載する抽選券とが刊行物の一紙面を占有して掲載されるために、広告と抽選券の掲載主体が異なるにもかかわらず、広告が実質福引付き全面広告の観を強く呈するので、購読者への広告のアピール度を一層高めることができる。
【００３３】
更にまた、上記構成を備えた本発明の請求項５による福引抽選システムにおいては、新聞、雑誌またはチラシ等の印刷物に掲載されたバーコードをコンビニエンスストアまたはスーパーマーケット等へ持参することにより抽選で景品がもらえるために、やはり印刷物の人気が高まり、福引抽選の抽選場所となる流通業者の店舗にとっては来店客の増加および売上高の増加を期待することができる。
【図面の簡単な説明】
【図１】本発明の実施例に係る福引抽選システムの内容を示すシステムブロック図
【図２】同福引抽選システムの内容を示す運用フローチャート
【図３】同福引抽選システムの内容を示す説明図
【符号の説明】
１　広告主
２　広告代理店
３　新聞社（発行者）
４　流通業者
５　購読者
１１　新聞紙面
１２　広告
１３　福引掲載欄
１４　説明書き
１５　抽選券
１６　バーコード
【図１】
2004021684.tif 000003
【図２】
2004021684.tif 000004
【図３】
2004021684.tif 000005